(57)【特許請求の範囲】
【請求項１】
多規格送信機を動作させるための方法であって、
複数の送信チェイン内に設けられ、かつ、デジタルであって、マルチバンド使用であって、ソフトウェアによる選択可能である、複数の構成要素を含む、送信機を提供するステップを含み、前記複数の送信チェインは、直列に接続された、変調器、フィルタ、ミクサ、および、同期発振器を含み、デジタルであって、マルチバンド使用であって、ソフトウェアによる選択可能である、前記複数の構成要素は、複数の送信アーキテクチャを含み、当該複数の送信アーキテクチャの各々において少なくとも１つの構成要素が使用されることが可能であり、第１および第２の送信チェインからの位相変調成分のみを含むそれぞれの出力信号は、振幅変調成分を含む信号を発生するために使用され、前記方法はさらに、
前記複数の送信アーキテクチャのうちの１つを可能化して、通信信号を送信するステップを含む、方法。
【請求項２】
前記複数の送信アーキテクチャのうちの１つはＧＳＭ送信アーキテクチャである、請求項１に記載の方法。
【請求項３】
前記複数の送信アーキテクチャのうちの１つはＷＣＤＭＡ送信アーキテクチャである、請求項１に記載の方法。
【請求項４】
前記複数の送信アーキテクチャのうちの１つはＥＤＧＥ／ＴＤＭＡ送信アーキテクチャである、請求項１に記載の方法。
【請求項５】
前記複数の送信アーキテクチャのうちの１つは入力信号に基づき可能化される、請求項１に記載の方法。
【請求項６】
前記多規格送信機に関連する入力装置から、前記多規格送信機へ前記入力信号を供給するステップをさらに含む、請求項５に記載の方法。
【請求項７】
前記多規格送信機の外部のソースから、前記多規格送信機へ前記入力信号を供給するステップをさらに含む、請求項５に記載の方法。
【請求項８】
多規格送信機であって、
複数の送信チェイン内に設けられ、かつ、デジタルであって、マルチバンド使用であって、ソフトウェアによる選択可能である、複数の構成要素を含む送信機を含み、前記複数の送信チェインは、直列に接続された、変調器、フィルタ、ミクサ、および、同期発振器を含み、デジタルであって、マルチバンド使用であって、ソフトウェアによる選択可能である、前記複数の構成要素は、複数の送信アーキテクチャを含み、当該複数の送信アーキテクチャの各々において少なくとも１つの構成要素が使用されることが可能であり、第１および第２の送信チェインからの位相変調成分のみを含むそれぞれの出力信号は、振幅変調成分を含む信号を発生するために使用され、前記多規格送信機はさらに、
前記複数の送信アーキテクチャのうちの１つを可能化して通信信号を送信するよう構成される実行可能符号セグメントを含む、多規格送信機。
【請求項９】
前記複数の送信アーキテクチャのうちの１つはＧＳＭ送信アーキテクチャである、請求項８に記載の多規格送信機。
【請求項１０】
前記複数の送信アーキテクチャのうちの１つはＷＣＤＭＡ送信アーキテクチャである、請求項８に記載の多規格送信機。
【請求項１１】
前記複数の送信アーキテクチャのうちの１つはＥＤＧＥ／ＴＤＭＡ送信アーキテクチャである、請求項８に記載の多規格送信機。
【請求項１２】
前記実行可能符号セグメントは、入力信号に基づいて前記複数の送信アーキテクチャのうちの１つを可能化する、請求項８に記載の多規格送信機。
【請求項１３】
前記入力信号は、前記多規格送信機のユーザによって供給される、請求項１２に記載の多規格送信機。
【請求項１４】
前記入力信号は、前記多規格送信機の外部のソースから受信される、請求項１２に記載の多規格送信機。
【請求項１５】
多数の通信規格に準拠してデータを送信し得る携帯トランシーバであって、
データ信号を受信し変調するよう構成される変調器と、
変調されたデータ信号を受信し、無線周波数（ＲＦ）信号を提供するよう構成されるアップコンバータと、
複数の送信チェイン内に設けられ、かつ、デジタルであって、マルチバンド使用であって、ソフトウェアによる選択可能である、複数の構成要素を含む送信機とを含み、前記複数の送信チェインは、直列に接続された、変調器、フィルタ、ミクサ、および、同期発振器を含み、デジタルであって、マルチバンド使用であって、ソフトウェアによる選択可能である、前記複数の構成要素は、複数の送信アーキテクチャを含み、当該複数の送信アーキテクチャの各々において少なくとも１つの構成要素が使用されることが可能であり、第１および第２の送信チェインからの位相変調成分のみを含むそれぞれの出力信号は、振幅変調成分を含む信号を発生するために使用され、前記携帯トランシーバはさらに、
前記ＲＦ信号を送信するために前記複数の送信アーキテクチャのうちの１つを可能化するよう構成される論理を含む、携帯トランシーバ。
【請求項１６】
前記変調器に供給される前記データ信号を、前記可能化された送信アーキテクチャに対応する同相（Ｉ）および直交（Ｑ）成分にフォーマット化するよう構成される論理をさらに含む、請求項１５に記載の携帯トランシーバ。
【請求項１７】
多規格送信機であって、
複数の送信チェイン内に設けられ、かつ、デジタルであって、マルチバンド使用であって、ソフトウェアによる選択可能である、複数の構成要素を含む送信機手段を含み、前記複数の送信チェインは、直列に接続された、変調器、フィルタ、ミクサ、および、同期発振器を含み、デジタルであって、マルチバンド使用であって、ソフトウェアによる選択可能である、前記複数の構成要素は、複数の送信アーキテクチャを含み、当該複数の送信アーキテクチャの各々において少なくとも１つの構成要素が使用されることが可能であり、第１および第２の送信チェインからの位相変調成分のみを含むそれぞれの出力信号は、振幅変調成分を含む信号を発生するために使用され、前記多規格送信機はさらに、
前記複数の送信アーキテクチャのうちの１つを可能化して通信信号を送信するための手段を含む、多規格送信機。
【請求項１８】
データ信号を同相（Ｉ）および直交（Ｑ）成分にフォーマット化するための手段をさらに含む、請求項１７に記載の多規格送信機。
【発明の詳細な説明】
【技術分野】
【０００１】
発明の背景
１．発明の分野
この発明は一般的に、無線携帯通信装置における送信回路アーキテクチャに関する。より特定的には、この発明は多数の送信方法を用いて通信可能である無線送信機のためのソフトウェアによって規定される多数の送信アーキテクチャに関する。
【背景技術】
【０００２】
２．関連技術
効率的で低コストな電子モジュールがより利用可能になるに従って、移動通信システムはますます普及してきている。たとえば、さまざまな周波数、送信方式、変調技術および通信プロトコルを用いて、双方向の音声およびデータ通信を手持ちの電話のような通信ハンドセットにおいて提供する、通信方式の多くの変更例が存在する。異なった変調および送信方式は各々、利点および不利点を有する。
【０００３】
これらの移動通信システムが開発されて配布されるに従って、これらのシステムが適合すべき多くの異なった規格が発展した。たとえば、米国においては、第３世代携帯通信システムはＩＳ−１３６規格に準拠するが、これは特定の変調方式およびアクセスフォーマットの使用を要求する。ＩＳ−１３６の場合、変調方式は８−直交位相偏移変調（８ＱＰＳＫ）、オフセットπ／４差動直交位相偏移変調（π／４−ＤＱＰＳＫ）またはその変更例を用いてもよく、アクセスフォーマットはＴＤＭＡである。
【０００４】
欧州においては、移動通信のためのグローバルシステム（global system for mobile communications: ＧＳＭ）規格は、定包絡線変調方法を用いる狭帯域ＴＤＭＡアクセス環境におけるガウスフィルタ型最小偏移（ＧＭＳＫ）変調方式の利用を要求する。
【０００５】
さらに、狭帯域ＴＤＭＡ技術を用いる典型的なＧＳＭ移動通信システムにおいては、ＧＭＳＫ変調方式は、発振器から非線形パワーアンプに超低雑音の位相変調（ＰＭ）送信信号を直接供給する。そのような構成においては、非常に効率的な非線形パワーアンプを用いて、位相変調信号の効率的な変調およびパワー消費の最小化を可能にし得る。変調信号が発振器から直接供給されるので、パワーアンプの前後のいずれにおいてもフィルタリングの必要性が最小化される。さらに、ＧＳＭトランシーバにおける出力は定包絡線変調信号である（すなわち、位相変調（ＰＭ）信号のみを含む非時間変化信号）。
【０００６】
多くの不定包絡線送信アーキテクチャは、ＰＭ信号と振幅変調（ＡＭ）信号との両方が送信される変調方式を用いる。これらの方式を用いる規格は、送信される信号の帯域幅を増大させることなくデータ転送速度を向上させる。残念ながら、上述の送信方式のすべてに対処し得る１つの携帯トランシーバを得ることが望ましくとも、既存のＧＳＭ変調方式は、ＰＭ成分とＡＭ成分との両方を含む信号を送信するのに容易に適合されない。この困難性の１つの理由は、ＰＭ成分とＡＭ成分とを含む歪みのない信号を送信するためには、高い線形性を持つパワーアンプが要求されるためである。残念ながら、高い線形性を持つパワーアンプは非常に非効率的で、非線形パワーアンプよりも顕著に多くのパワーを消費し、バッテリまたは他の電源の寿命を劇的に減じる。
【０００７】
不定包絡線変調においては、信号の振幅変調（ＡＭ）部分は、送信出力信号の振幅をばらつかせる。定包絡線変調においては、送信出力信号は常に振幅が一定である。移動通信のためのグローバルシステム（global system for mobile communications: ＧＳＭ）を
発展させたものであるＧＳＭ発展のため高速化されたデータ転送速度（enhanced data rates for GSM evolution: ＥＤＧＥ）および広帯域符号分割多重アクセス（ＷＣＤＭＡ）のような、出現してきている通信規格は、不定包絡線変調を用いるであろう。これらの新しい規格に対する送信アーキテクチャは開発途上であるから、できる限り多くの規格をサポートする単一の送信アーキテクチャを得ることが一般的に望ましい。
【０００８】
定包絡線変調および不定包絡線変調の両方が可能である単一の送信アーキテクチャを開発する１つの可能な態様は、フィルタが送信チェインに挿入された従来のアップコンバータを用いることである。そのようなアーキテクチャは、中間周波数（ＩＦ）での、パワーアンプの前では無線周波数（ＲＦ）での、かつパワーアンプの後ではＲＦでの、フィルタを要求する。残念ながら、多規格送信アーキテクチャは、多くのフィルタが切換えられて回路に接続および回路から切断されることを要求するか、または別個の送信チェインを要求するであろう。
【０００９】
さらに、新しい無線通信システム規格が出現する場合、新しい規格を満足しながら、やはり既存の規格と「後ろ向きに互換性のある（backwards compatible）」送信アーキテクチャを得ることが望ましい。しばしば、新しい規格は基本的に互いに合致しない原理および技術を用いて設計される。たとえば、既存の規格はＴＤＭＡ、狭信号帯域、定包絡線変調（すなわち、ＧＳＭ）を用い得る一方、新しい規格は符号分割多重アクセス（ＣＤＭＡ）、広信号帯域、不定包絡線変調（すなわち、広帯域ＣＤＭＡ（ＷＣＤＭＡ）を用い得る。さらに、これら２つのシステムは異なった周波数帯域で動作し得る。そのような送信規格における相違は、システム設計プロセスを通して「波及効果」をもたらし、典型的には非常に異なった送信アーキテクチャをもたらすであろう（すなわち、異なったフィルタリング、異なったパワー増幅など）。それでも、多数の規格を満足する単一の送信アーキテクチャを得ることが望ましい。
【００１０】
無線デジタル規格のための既存の送信アーキテクチャは、送信ハードウェアの顕著な修正なく代替的な規格をサポートするのに十分な柔軟性を有さない。その結果、既存の多規格（「マルチバンド」または「マルチモード」とも称する）送信アーキテクチャは、能動および受動素子の両方を含む顕著な数の構成要素を要求する。これは、単一の携帯通信装置が２つの別々の送信機を含むことを要求し、その結果コストが高く非常に嵩が高い装置となる。さらに、不定包絡線変調（すなわち、ＡＭ成分を含む規格）を要求する通信方式で動作する場合、パワー効率が減じられ、その結果電池寿命が減じられかつ能動素子からの熱放散が増大する。そのような状況の例はユニバーサル移動電話サービス（universal mobile telephone service: ＵＭＴＳ）規格であり、これは携帯通信装置がＧＳＭモードおよびＷＣＤＭＡモードの両方で動作することを要求する。
【００１１】
１つの世界的な携帯通信規格の開発が益々望まれるに伴ない、送信アーキテクチャにおける構成要素の数を最小限にとどめながら、多数のデジタル規格で動作し得る携帯トランシーバを得ることが望ましいであろう。
【発明の開示】
【課題を解決するための手段】
【００１２】
要約
この発明の実施例は、多数の送信規格を用いて動作することが可能であるソフトウェアによって規定される多数の送信アーキテクチャを含む。ソフトウェアによって規定される送信アーキテクチャは、複数の送信規格のうち任意のものに準拠するデータ信号を送信するために選択的に可能化され得る、複数の個々に選択可能である構成要素を含む。ソフトウェアによって規定される送信アーキテクチャは、たとえば、移動通信のためのグローバルシステム（global system for mobile communications: ＧＳＭ）、ＴＤＭＡを用いる
ＧＳＭ発展のため高速化されたデータ転送速度（enhanced data rates for GSM evolution: ＥＤＧＥ）、および広帯域符号分割多重アクセス（ＷＣＤＭＡ）送信規格に準拠する、通信信号を送信するために、関連の論理によって可能化され得る構成要素を含む。単一の送信アーキテクチャが多数の送信規格をサポートし、こうしてマルチバンドのマルチモード携帯トランシーバにおける構成要素の数を最小化しながら、能動素子の数を減じる。
【００１３】
関連の動作方法およびコンピュータ読取可能媒体もまた提供される。この発明の他のシステム、方法、特徴および利点は、以下の図面および詳細な説明の考察により当業者には明確であるかまたは明確とされるであろう。そのようなさらなるシステム、方法、特徴および利点のすべてが、この説明中に含まれ、この発明の範囲内にあり、かつ添付の特許請求の範囲により保護されることが意図される。
【００１４】
この発明は以下の図面を参照することにより、よりよく理解されるであろう。図中の構成要素は必ずしもある縮尺で描かれず、重点はこの発明の原理を明確に例示することにある。さらに、図中、異なった図を通して、同一の参照符号が対応の部分を示す。
【発明を実施するための最良の形態】
【００１５】
詳細な説明
特に携帯トランシーバを参照して説明されるが、ソフトウェアによって規定される多数の送信アーキテクチャは、多規格動作が望まれるどのような通信装置においても実現可能である。さらに、ソフトウェアによって規定される多数の送信アーキテクチャは、定包絡線および不定包絡線変調が用いられるどのような送信機にも適用可能である。
【００１６】
ソフトウェアによって規定される多数の送信アーキテクチャは、ソフトウェアとハードウェアとの組合せを用いて実現し得る。この発明のハードウェア部分は、特化されたハードウェア素子および論理を用いて実現し得る。ソフトウェア部分はメモリ内に格納されて、好適な命令実行システム（マイクロプロセッサ）によって実行され得る。ソフトウェアによって規定される多数の送信アーキテクチャのハードウェア実現例は、すべて当該技術分野においては公知である以下の技術のいずれかまたはその組合せを含み得る。すなわち、データ信号に応じて論理機能を実現するための論理ゲートを有する離散論理回路、適切な論理ゲートを有する特定用途向け集積回路、プログラマブルゲートアレイ（ＰＧＡ）、フィールドプログラマブルゲートアレイ（ＦＰＧＡ）などである。
【００１７】
ソフトウェアによって規定される多数の送信アーキテクチャのためのソフトウェアは、論理機能を実現するための実行可能な命令の順序付きリストを含み、かつ命令を命令実行システム、装置または機器からフェッチして命令を実行し得るコンピュータに基づくシステム、プロセッサを含むシステムまたは他のシステムのような、命令実行システム、装置または機器によってまたはそれと関連して用いるための、どのようなコンピュータ読取可能媒体においても実現可能である。
【００１８】
本文書の文脈において、「コンピュータ読取可能媒体」は、命令実行システム、装置または機器によってまたはこれに関連して用い得るプログラムを含み、格納し、通信し、伝搬し、または搬送し得るいかなる手段でもあり得る。コンピュータ読取手段は、これらに限られるものではないが、たとえば電子的、磁気的、光学的、電磁的、赤外線、または半導体システム、装置、機器または伝搬媒体であり得る。コンピュータ読取可能媒体のより特定的な例（非網羅的リスト）は以下を含み得る。すなわち、１つ以上の配線を有する電気的接続（電子的）、携帯コンピュータディスケット（磁気）、ランダムアクセスメモリ（ＲＡＭ）、読出専用メモリ（ＲＯＭ）、消去可能プログラマブル読出専用メモリ（ＥＰＲＯＭまたはフラッシュメモリ）（磁気）、光ファイバ（光学）、および携帯コンパクトディスク読出専用メモリ（ＣＤＲＯＭ）（光学）である。コンピュータ読取可能媒体は、
プログラムが印刷され得る紙または他の好適な媒体でさえあり得るが、なぜならば、プログラムは紙または他の媒体のたとえば光学走査により電子的に取込まれ、次いでコンパイルされ、解釈され、または必要であれば好適な態様で処理され、次いでコンピュータメモリに格納され得るからである。
【００１９】
図１は、ソフトウェアによって規定される送信アーキテクチャを含む簡略化された携帯トランシーバ１００を示すブロック図である。携帯トランシーバ１００は、スピーカ１０２、ディスプレイ１０４、キーボード１０６、およびマイクロホン１０８を含み、これらのすべてがベースバンドサブシステム１１０に接続される。特定の実施例においては、携帯トランシーバ１００は、これに限られるものではないが、たとえば移動セルラー型電話のような携帯電気通信ハンドセットであり得る。スピーカ１０２およびディスプレイ１０４は、当業者には公知であるように、それぞれ接続１１２および１１４を介してベースバンドサブシステム１１０から信号を受ける。同様に、キーボード１０６およびマイクロホン１０８はそれぞれ接続１１６および１１８を介して信号をベースバンドサブシステム１１０に供給する。ベースバンドサブシステム１１０は、バス１２８を通じて通信する、マイクロプロセッサ（μＰ）１２０、メモリ１２２、アナログ回路１２４、およびデジタル信号プロセッサ（ＤＳＰ）１２６を含む。単一のバスとして図示されるが、バス１２８は必要であれば、ベースバンドサブシステム１１０内のサブシステム同士で接続する多数のバスを用いて実現されてもよい。
【００２０】
以下に説明するソフトウェアによって規定される多数の送信アーキテクチャが実現される態様に依存して、ベースバンドサブシステム１１０は、特定用途向け集積回路（ＡＳＩＣ）１３５およびフィールドプログラマブルゲートアレイ（ＦＰＧＡ）１３３をも含み得る。
【００２１】
マイクロプロセッサ１２０およびメモリ１２２は、携帯トランシーバ１００のための信号タイミング、処理および格納機能を提供する。アナログ回路１２４は、ベースバンドサブシステム１１０内の信号のためのアナログ処理機能を提供する。ベースバンドサブシステム１１０は、接続１３２を介して無線周波数（ＲＦ）サブシステムに制御信号を提供する。単一の接続１３２として図示されるが、制御信号はＤＳＰ１２６、ＡＳＩＣ１３５、ＦＰＧＡ１３３またはマイクロプロセッサ１２０から発生して、ＲＦサブシステム１３０内のさまざまなポイントに供給されてもよい。簡略化のために、ここでは携帯トランシーバ１００の基本的な構成要素のみが図示されることに留意されたい。ベースバンドサブシステム１１０によって提供される制御信号は、以下に詳細に説明するようにＲＦサブシステム１３０内のさまざまな構成要素を制御する。
【００２２】
ソフトウェアによって規定される多数の送信アーキテクチャが、マイクロプロセッサ１２０によって実行されるソフトウェアにおいて実現される場合、メモリ１２２は、以下に詳細に説明するような送信規定ソフトウェア３００をも含む。送信規定ソフトウェアは、メモリ内に格納されマイクロプロセッサ１２０によって実行される１つ以上の実行可能符号セグメントを含む。これに代えて、送信規定ソフトウェア３００の機能は、ＡＳＩＣに符号化されるか、またはＦＰＧＡによって実行され得る。メモリ１２２が書換可能であり、かつＦＰＧＡが再プログラム可能であるので、送信規定ソフトウェア３００への更新は、これらの方法のいずれかを用いて実現する場合に携帯トランシーバ１００に遠隔的に送られ格納され得る。
【００２３】
ベースバンドサブシステム１１０は、アナログ−デジタルコンバータ（ＡＤＣ）１３４およびデジタル−アナログコンバータ（ＤＡＣ）１３６および１３８をも含む。ＤＡＣ１３６および１３８は２つの別々の装置として図示されるが、ＤＡＣ１３６および１３８の機能を果たす単一のデジタル−アナログコンバータを用い得ることを理解されたい。ＡＤ
Ｃ１３４、ＤＡＣ１３６およびＤＡＣ１３８は、バス１２８を介してマイクロプロセッサ１２０、メモリ１２２、アナログ回路１２４およびＤＳＰ１２６とも通信し得る。ＤＡＣ１３６は、ベースバンドサブシステム１１０内のデジタル通信情報をアナログ信号に変換して、接続１４０を介してＲＦサブシステム１３０に送信する。ＤＡＣ１３８は、参照電圧パワーレベル信号を、接続１４４を介してパワー制御素子１６１に提供する。２つの方向付けられた矢印で示されるが、接続１４０はデジタルドメインからアナログドメインへの変換後にＲＦサブシステム１３０によって送信され得る情報を含む。
【００２４】
ＲＦサブシステム１３０は変調器１４６を含むが、これは接続１５０を介して合成器１４８から「局部発振器」信号または「ＬＯ」とも称する周波数参照信号を受信した後に、受信したアナログ情報を変調し、変調された信号を接続１５２を介してアップコンバータ１５４に与える。定包絡線変調方法において、変調された送信信号は一般に位相情報のみを含む。アップコンバータ１５４は、接続１５６を介して合成器１４８から周波数参照信号をも受信する。合成器１４８は、アップコンバータ１５４が接続１５２上の変調された信号をアップコンバートする適切な周波数を決定する。
【００２５】
以下に詳細に説明するように、合成器１４８、変調器１４６、アップコンバータ１５４およびパワーアンプ１６０は、以下に説明する他の構成要素と併せて、複数の通信規格のうちの任意のものに準拠する情報の送信が可能であるソフトウェアによって規定される多数の送信アーキテクチャを形成する。ソフトウェアによって規定される送信アーキテクチャ２００は一般に複数の選択可能構成要素を含む。選択可能構成要素はともに、いくつもの構成要素が異なった送信アーキテクチャ間で共有される複数の異なった送信アーキテクチャを含む。送信規定ソフトウェア３００は、可能であるいくつかの送信アーキテクチャのうちのいずれが可能化されるべきかを、用いられている通信規格に依存して決定する。送信規定ソフトウェア３００は次いで、ソフトウェアによって規定される送信アーキテクチャ２００内の適切な構成要素を可能化して、所望の規格で通信を可能化する。
【００２６】
送信規定ソフトウェア３００は、送信されるべきデータに対する適切なフォーマットをも決定する。以下により詳細に説明するように、データは一般にベースバンドサブシステム１１０によって同相（Ｉ）および直交（Ｑ）成分にフォーマット化される。ＩおよびＱ信号は異なった形式をとり、用いられる通信規格に依存して異なってフォーマット化され得る。ソフトウェアによって規定される送信アーキテクチャ２００が多数の送信方法が可能であるので、送信規定ソフトウェア３００は利用可能である送信方法の各々に一致するようにデータをフォーマット化することが可能である。
【００２７】
アップコンバータ１５４は、変調された信号を接続１５８を介してパワーアンプ１６０に供給する。パワーアンプ１６０は、接続１５８上の変調された信号を適切なパワーレベルに増幅して、接続１６２を介してアンテナ１６４に送信する。例示的に、スイッチ１６６は、接続１６２上の増幅された信号がアンテナ１６４に転送されるのか、またはアンテナ１６４から受信した信号がフィルタ１６８に供給されるのかを制御する。スイッチ１６６の動作は、接続１３２を介したベースバンドサブシステム１１０からの制御信号により制御される。これに代えて、スイッチ１６６は、当業者には公知であるように、送信信号および受信信号の同時の通過を可能にするフィルタ対（たとえば送受切換器）で置換えられてもよい。
【００２８】
接続１６２上の増幅された送信信号エネルギの一部が、接続１７０を介してパワー制御素子１６１に供給される。パワー制御素子１６１は、パワー制御フィードバック閉ループを形成して、パワーアンプ１６０の出力パワーを制御し、かつ接続１７２を介してパワー制御フィードバック信号をも供給し得る。
【００２９】
アンテナ１６４によって受信された信号は、受信フィルタ１６８に向けられる。受信フィルタ１６８は受信した信号をフィルタリングし、接続１７４上のフィルタリングした信号を低雑音増幅器（ＬＮＡ）１７６に供給する。受信フィルタ１６８はバンドパスフィルタであり、これは携帯トランシーバ１００が動作する特定のセルラーシステムのすべてのチャネルを通過させる。例として、９００ＭＨｚのＧＳＭシステムについては、受信フィルタ１６８は、各々２００ｋＨｚの１２４隣接チャネルのすべてを包含する９３５．１ＭＨｚから９５９．９ＭＨｚのすべての周波数を通過させる。このフィルタの目的は、所望の領域外のすべての周波数を拒絶することである。ＬＮＡ１７６は、接続１７４上の非常に弱い信号を、ダウンコンバータ１７８がその信号を送信周波数からベースバンド周波数に再変換することが可能なレベルまで増幅する。これに代えて、ＬＮＡ１７６およびダウンコンバータ１７８の機能は、これらに限定されるものではないが、たとえば低雑音ブロックダウンコンバータ（ＬＮＢ）のような他の素子を用いても達成し得る。
【００３０】
ダウンコンバータ１７８は、「局部発振器」信号または「ＬＯ」とも称する周波数参照信号を、接続１８０を介して合成器１４８から受信し、該信号は、接続１８２を介してＬＮＡ１７６から受信した信号をダウンコンバートすべき適切な周波数をダウンコンバータ１７８に指示する。ダウンコンバートされた周波数は中間周波数またはＩＦと称する。ダウンコンバータ１７８は、ダウンコンバートされた信号を接続１８４を介して、「ＩＦフィルタ」とも称するチャネルフィルタ１８６に送る。チャネルフィルタ１８６はダウンコンバートされた信号をフィルタリングし、これを接続１８８を介して増幅器１９０に供給する。チャネルフィルタ１８６は１つの所望のチャネルを選択し他のすべてを拒絶する。例としてＧＳＭシステムを用いて、隣接する１２４チャネルのうちの１つのみが実際に受信される。すべてのチャネルが受信フィルタ１６８によって通過されてダウンコンバータ１７８により周波数がダウンコンバートされた後で、１つの所望のチャネルのみがチャネルフィルタ１８６の中心周波数に正確に現われる。
【００３１】
ダウンコンバータ１７８に対し接続１８０上に供給される局部発振器周波数を制御することにより、合成器１４８は選択されたチャネルを決定する。増幅器１９０は受信した信号を増幅し、増幅された信号を接続１９２を介して復調器１９４に供給する。復調器１９４は送信されたアナログ情報を復元して、この情報を表わす信号を接続１９６を介してＡＤＣ１３４に供給する。ＡＤＣ１３４は、これらのアナログ信号をデジタル信号にベースバンド周波数で変換して、信号をバス１２８を介してさらなる処理のためにＤＳＰ１２６に転送する。
【００３２】
これに代えて、接続１８４でのダウンコンバートされた搬送周波数（ＩＦ周波数）は０Ｈｚであってもよく、この場合受信機は「直接変換受信機」と称する。そのような場合には、チャネルフィルタ１８６はローパスフィルタとして実現され、復調器１９４は省略し得る。
【００３３】
図２は、図１のソフトウェアによって規定される送信アーキテクチャ２００を図示するブロック図である。ソフトウェアによって規定される送信アーキテクチャ２００は複数の構成要素を含み、そのさまざまな組合せをいくつもの異なった送信規格でデータを送信するために用い得る。たとえば、ソフトウェアによって規定される送信アーキテクチャ２００は、ＧＳＭ、ＥＤＧＥ／ＴＤＭＡおよびＷＣＤＭＡ規格で信号を送信するために送信規定ソフトウェア３００（図１）によって選択的に可能化され得る構成要素を含む。
【００３４】
ソフトウェアによって規定される送信アーキテクチャ２００は、「局部発振器」（ＬＯ）信号を接続２０１を介して供給する合成器１４８（図１）を含む。接続２０１は、図１における接続１５０および１５６と同様である。ＬＯ信号は、分周器２０２と無線周波数（ＲＦ）ミクサ２１６および２５１とに供給される。分周器２０２は、合成器１４８の入
力周波数を４で除算し、分周された周波数出力を接続２０３、２０５および２７１に与える。０°ＬＯ信号が接続２０３に供給され、９０°ＬＯ信号が接続２０５に供給される一方、接続２７１をわたって供給されるＬＯ信号の位相は任意である。簡略化された実施例において、接続２０３または接続２０５のいずれかを接続２７１の代わりに用い得る。図３、図４および図５を参照してより詳細に説明するが、ソフトウェアによって規定される送信アーキテクチャ２００は複数の異なった送信規格の任意のものでデータ信号を送信するために用い得る。したがって、図２の構成要素の各々の、送信規格特有の説明は図３、図４および図５に提供し、図２については構成要素の基本的な説明のみを提供する。
【００３５】
簡略化のために省略されるが、ソフトウェアによって規定される送信アーキテクチャ２００内の構成要素の各々は、図１の制御信号線１３２への接続を含む。制御信号線１３２は、所望の送信規格に依存してソフトウェアによって規定される送信アーキテクチャ２００内で特定の構成要素を可能化しかつ活性化する送信規定ソフトウェア３００によって典型的には発生される信号を提供する。
【００３６】
例示的なソフトウェアによって規定される送信アーキテクチャ２００は、ＧＳＭ、ＥＤＧＥ／ＴＤＭＡ、およびＷＣＤＭＡ送信規格の任意のものを用いて携帯トランシーバ１００が通信することを可能にする構成要素を含む。したがって、定包絡線（すなわち、ＰＭ信号のみを含むもの）または不定包絡線（すなわち、ＰＭ信号とＡＭ信号との両方を含むもの）出力のいずれかがソフトウェアによって規定される送信アーキテクチャ２００によって提供され得る。ＧＳＭ規格は、定包絡線パワー出力を要求する。したがって、図２について説明するように、ＧＳＭに対しては単一の送信チェインのみを用い得る（すなわち、Ｉ／Ｑ変調器２０６、ローパスフィルタ２１２、ＲＦミクサ２１６、同期発振器２１８、およびパワーアンプ２２６がＧＳＭに対する送信チェインを形成する）。
【００３７】
しかしながら、以下に説明するように、ＥＤＧＥ／ＴＤＭＡ送信信号は、上述の送信チェインの出力と、Ｉ／Ｑ変調器２４１、ローパスフィルタ２４７、ＲＦミクサ２５１、同期発振器２５４およびパワーアンプ２６１によって形成される送信チェインの出力とを合成することにより形成し得る。２つの送信チェインの出力は、「位相ずらし」と称する技術を用いて合成し得る。この技術は、ＰＭ成分のみを含む２つの信号の位相差を用いてＰＭ成分とＡＭ成分との両方を含む信 号を発生させるが、これはここに引用により援用される２００２年７月２９日出願の「ミラー変換ループ送信機アーキテクチャ（Mirror Translation Loop Transmitter Architecture）」（代理人整理番号第００ＣＸＴ０５２２Ｗ）と題する、共通に譲渡された同時係属中の米国特許出願であって、現在は２００６年７月２５日に発行された米国特許第７，０８２，１６９である、に記載される。
【００３８】
これに代えて、ＧＳＭのために上述の２つの送信チェインをも用い得る。そのような構成においては、２つのチェインは常に同相でなければならない。２つの送信チェインの出力は、より高い振幅出力を得るために合わせて加算される。たとえば、１つのチェインのみの場合に比べて、６ｄＢ大きな信号と３ｄＢだけ多いノイズとが得られる。したがって、この場合、加算される２つのベクトルが常に同じ方向を指すので「位相ずらし」は用いられていない。
【００３９】
ソフトウェアによって規定される送信アーキテクチャ２００は、移相器２４５を含む。移相器２４５は、どのような移相器を含んでもよいが、この実施例においては、１対の同相（Ｉ）／直交（Ｑ）（Ｉ／Ｑ）変調器２０６および２４１を含む。接続２０５上の分周器２０２の出力は、Ｉ／Ｑ変調器２０６およびＩ／Ｑ変調器２４１の両方に供給される。送信規定ソフトウェア３００によってどの構成要素が活性化されるかに依存して、ソフトウェアによって規定される送信アーキテクチャ２００を介して送信されるべきデータ信号はＩ／Ｑ変調器２０６および２４１のうちの１つまたはその両方に供給される。データは同相（Ｉ）成分および直交（Ｑ）成分の形式で供給される。たとえば、ＧＳＭ通信規格を
用いて送信する場合、Ｉ成分は接続２０７を介してＩ／Ｑ変調器２０６に供給され、Ｑ成分は接続２０８を介してＩ／Ｑ変調器２０６に供給される。ＥＤＧＥ／ＴＤＭＡ（またはＧＳＭが２つの上述の送信チェインの出力を合成する場合にはＧＳＭ）通信の場合においては、ＩおよびＱ成分がそれぞれ接続２４２および２４４を介してＩ／Ｑ変調器２４１にも供給される。
【００４０】
Ｉ／Ｑ変調器２０６の出力は、接続２０９を介してローパスフィルタ２１２に供給される。ローパスフィルタ２１２は、接続２０９上の信号に存在するいずれの３次以上の高調波をも拒絶する。ローパスフィルタ２１２の出力は、接続２１４を介してＲＦミクサ２１６に供給される。ＲＦミクサ２１６は、合成器１４８から接続２０１を介して局部発振器（ＬＯ）信号を受信し、２つの信号を混合して接続２１４上の信号を、接続２１７上の無線周波数（ＲＦ）信号にアップコンバートする。残念ながら、ＲＦミクサ２１６は高いノイズフロアを有し、したがって、不所望なスプリアス放射（たとえば、所望の周波数にスペクトル的に近いアップコンバート副産物）がＲＦミクサ２１６から放射されるおそれがある。このスプリアス放射およびノイズを減じるために、ＲＦミクサ２１６の出力は同期発振器２１８に供給される。
【００４１】
その全体がここに引用により援用される２００２年８月３０日出願の「変換ループにおける同期発振器を組み入れた無線送信機（Wireless Transmitter Incorporating a Synchronous Oscillator in a Translation Loop）」（代理人整理番号第０１ＣＸＴ０２８８Ｗ）と題する共通に譲渡された同時係属中の米国特許出願であって、現在は２００５年１１月１日に発行された米国特許第６，９６１，５４７である、にその詳細が記載される同期発振器２１８は、再生成受信機として作用し、それにより接続２１７上の信号の周波数で発振してミクサ２１６からのすべてのスプリアス放射を拒絶し、これにより所望のＲＦ周波数できれいに変調された出力信号を提供する。
【００４２】
同期発振器２１８の出力はスイッチ２２１に供給される。スイッチ２２１の位置は、同期発振器の出力がミクサに与えられるか（ＷＣＴＭＡ動作の場合）、または別のスイッチ２８１を介して対応のパワーアンプ（ＧＳＭまたはＥＤＧＥ／ＤＭＡ動作の場合）に直接与えられるかを決定する。スイッチ２２１および２８１の動作は、送信規定ソフトウェア３００（図１）の指示の下で、接続１３２を介した制御信号により制御される。同期発振器２１８の出力は、スイッチ２２１および２８１によって接続２２２および２２４を介してパワーアンプ２２６の入力に直接向けられる。パワーアンプ２２６は図１のパワーアンプ１６０の機能を果たす。接続２２４上の信号は、パワーアンプ２２６によって増幅され、接続２２８を介して出力として供給される。
【００４３】
Ｉ／Ｑ変調器２４１の出力は、接続２４６を介してローパスフィルタ２４７に供給される。ローパスフィルタ２４７は、ローパスフィルタ２１２と同様に、接続２４６上の信号に存在するいずれの３次以上の高調波をも拒絶する。ローパスフィルタ２４７の出力は、接続２４８を介してＲＦミクサ２５１に供給される。ＲＦミクサ２５１は、合成器１４８から接続２０１を介して局部発振器（ＬＯ）信号を受信し、２つの信号を混合して接続２４８上の信号を、ＲＦミクサ２１６と同様の態様で、接続２５２上の無線周波数（ＲＦ）信号にアップコンバートする。同様に、接続２５２上のスプリアス放射を減じるために、ＲＦミクサ２５１の出力は同期発振器２５４に供給され、これは同期発振器２１８と同様に動作する。
【００４４】
同期発振器２５４の出力はスイッチ２５６に供給される。スイッチ２５６の位置は、同期発振器の出力がミクサに与えられるか（ＷＣＤＭＡ動作の場合）、またはスイッチ２７９を介して対応のパワーアンプに直接与えられるか（ＧＳＭ（両方の送信チェインが用いられる場合）、またはＥＤＧＥ／ＴＤＭＡ動作の場合）を決定する。スイッチ２５６および２７９の動作は、送信規定ソフトウェア３００（図１）の指示の下で接続１３２を介し
た制御信号によって制御される。同期発振器２５４の出力はスイッチ２５６および２７９により、接続２５７および２５８を介してパワーアンプ２６１の入力に直接向けられる。パワーアンプ２６１は、図１のパワーアンプ１６０の機能を果たす。接続２５８上の信号は、パワーアンプ２６１によって増幅され、接続２６２を介して出力として供給される。
【００４５】
両方の送信チェインが用いられる場合、上述の米国特許出願「ミラー変換ループ送信機アーキテクチャ」に記載されるように、Ｉ／Ｑ変調器２０６および２４１からの位相が変更された位相変調信号を用いて振幅変調（ＡＭ）信号を形成することが可能である。これらの信号は上述のように、ＲＦミクサ２１６および２５１、ならびに同期発振器２１８および２５４に供給される。しかしながら、上述の２つの送信チェインに供給される信号は、ＥＤＧＥ／ＴＤＭＡについては振幅が一定であるが逆位相デルタを有し、ＧＳＭ動作が両方の送信チェインを用いる場合にはＧＳＭについては振幅が一定であり同相である。これらの２つの信号は、パワーアンプ２２６および２６１によって増幅され、その出力は加算素子２６８においてともに加算される。接続２６９上の加算素子２６８の出力は、２つの送信チェインの合成出力である。２つの送信チェインが逆位相デルタを有する信号を受信した場合、接続２６９上の出力はＰＭ成分とＡＭ成分との両方を含み得る。そのような送信方法は、上述のように「位相ずらし」と称する。しかしながら、２つの送信チェインが同相の信号を受信した場合には、両方の送信チェインが同相である信号を処理するが、これは合成された場合に、信号対ノイズ比が向上した信号をもたらす。
【００４６】
ＷＣＤＭＡ送信規格での動作については、分周器２０２の出力は接続２７１を介して中間周波数（ＩＦ）可変利得増幅器（ＶＧＡ）２７２にも供給される。接続２７１は、これに代えて、接続２０３または２０５であってもよい。ＩＦ  ＶＧＡ２７２は、中間周波数非変調信号をもたらす。ＷＣＤＭＡ送信規格の広範な振幅ばらつきを満たすために、ＩＦ
ＶＧＡ２７２は、大きな振幅範囲を提供する。ＩＦ  ＶＧＡは、接続２７６上の信号に与えられる利得を規定する。ＩＦ  ＶＧＡ２７２の出力は、接続２７６を介してバンドパスフィルタ２７７に供給される。バンドパスフィルタ２７７は、所望のＩＦ信号が存在する通過帯域を規定する。バンドパスフィルタ２７７の出力は、接続２７８を介してミクサ２８４および２８８に供給される。ミクサ２８４の出力は、接続２２４およびスイッチ２８１を介して増幅器２２６に供給される一方、ミクサ２８８の出力は接続２５８およびスイッチ２７９を介して増幅器２６１に供給される。スイッチ２７９および２８１は送信規定ソフトウェア３００の指示の下で制御信号１３２によって制御され、ＷＣＤＭＡモードで動作することが望ましい場合、スイッチはミクサ２８８および２８４の出力をそれぞれパワーアンプ２６１および２２６に向ける。増幅器２２６および２６１の動作は上述のとおりである。
【００４７】
図３は、ソフトウェアによって規定される送信アーキテクチャ２００がＧＳＭ規格を用いて動作する場合に用いられる構成要素を示すブロック図である。ＧＳＭのために用いられる構成要素は太線で示される一方、ソフトウェアによって規定される送信アーキテクチャ２００における他の構成要素は点線で示されて、これらが用いられていないことを示す。しかしながら、ＥＤＧＥ／ＴＤＭＡ送信のために用いられるこの発明の実施例を示す図４のアーキテクチャをＧＳＭのためにも用いることができる。しかしながら、ＧＳＭにおいては、２つの異なった送信チェインにおける信号の位相は同相である。
【００４８】
単一の信号送信チェインが図３で用いられていると仮定すると、合成器１４８は局部発振器信号を分周器２０２と、接続２０１を介してＲＦミクサ２１６とに供給する。分周器２０２の出力は、接続２０３および２０５を介してＩ／Ｑ変調器２０６に供給される。接続２０７および２０８を介して供給されるＩ／Ｑ信号成分は、それらがＧＳＭ変調フォーマットに準拠するように送信規定ソフトウェア３００によってフォーマット化される。
【００４９】
Ｉ／Ｑ変調器の出力は、接続２０９を介してローパスフィルタ２１２に供給される。ローパスフィルタ２１２は、接続２０９上のいかなる３次以上の高調波をも拒絶し、接続２１４上の送信信号をＲＦミクサ２１６に供給する。ＲＦミクサ２１６は、接続２１４上の信号を接続２１７上のＲＦ信号にアップコンバートする。接続２１７上のＲＦ信号は、同期発振器２１８に供給され、これは接続２１７上のいかなるスプリアスな信号およびノイズをも拒絶して、きれいに変調された信号を、スイッチ２２１、接続２２２およびスイッチ２８１を介してパワーアンプ２２６に供給する。この実施例においては、スイッチ２２１および２８１は送信規定ソフトウェア３００により、出力信号を直接同期発振器２１８からパワーアンプ２２６に向けるように制御される。パワーアンプ２２６は、接続２２８上の出力信号を携帯トランシーバ１００のアンテナ（図示せず）に与える。パワーアンプ２２６の出力の一部は、接続２３１および２６４を介してパワーアンプ制御「ＰＡＣ」ユニット２３２に向けられる。パワーアンプ制御ユニット２３２は、閉ループパワー制御システムであり、これは接続２３４上のパワーアンプ制御信号を、パワーアンプ２２６の制御入力２２９に与える。接続２２８上のパワーアンプ２２６の出力は、携帯トランシーバ１００のアンテナ（図示せず）に向けられる出力信号である。
【００５０】
図４は、ソフトウェアによって規定される送信アーキテクチャ２００がＥＤＧＥ／ＴＤＭＡ規格を用いて動作する場合に用いられる構成要素を示すブロック図である。分周器２０２の出力は、接続２０３および２０５を介してＩ／Ｑ変調器２０６およびＩ／Ｑ変調器２４１の両方に供給される。各変調器は、分周器２０２の出力の０°および９０°成分の両方を受ける。ＥＤＧＥ／ＴＤＭＡ変調がＰＭ成分とＡＭ成分との両方を含むので、上述の「位相ずらし」技術が、上述の「ミラー変換ループ送信機アーキテクチャ」と題するともに譲渡された同時係属中の米国特許出願に記載されるように用いられて、不定包絡線送信フォーマットにおける位相変調成分と振幅変調成分との両方を提供する。
【００５１】
接続２０９上のＩ／Ｑ変調器２０６からの信号出力は、上述の「ミラー変換ループ送信機アーキテクチャ」と題するともに譲渡された同時係属中の米国特許出願に記載されるように、各変調器に与えられる逆位相デルタ成分によって決定されて、接続２４６上のＩ／Ｑ変調器２４１からの信号出力とは位相がずれている。これらの信号は、それぞれのローパスフィルタ２１２および２４７に供給される。ローパスフィルタ２１２および２４７の出力は、それぞれのＲＦミクサ２１６および２５１に供給される。ＲＦミクサ２１６の出力は接続２１７を介して同期発振器２１８に供給され、ＲＦミクサ２５１の出力は接続２５２を介して同期発振器２５４に供給される。同期発振器２１８および２５４はそれぞれ接続２１７および２５２上のいかなるスプリアスな信号およびノイズをも拒絶し、それぞれの出力をそれぞれスイッチ２２１および２５６に提供する。
【００５２】
送信規定ソフトウェア３００は、同期発振器２１８の出力が接続２２２およびスイッチ２８１を介してパワーアンプ２２６に向けられ、かつ同期発振器２５４の出力が接続２５７およびスイッチ２７９を介してパワーアンプ２６１に向けられるよう、スイッチ２２１および２５６を制御する。この実施例においては、２つのパワーアンプ２２６および２６１の組合せは集合的に図１のパワーアンプ１６０を含む。パワーアンプ２２６の出力は、接続２２８を介して加算素子２６８に向けられる一方、パワーアンプ２６１の出力は接続２６２を介して加算素子２６８に向けられる。各パワーアンプ２２６および２６１の出力の一部はまた、パワーアンプ制御素子２３２の入力として、接続２３１および接続２６４を介しても向けられる。パワーアンプ制御素子２３２は、接続２３４および２６７上のパワーアンプ制御信号を、パワーアンプ２２６および２６１のそれぞれの制御入力２２９および２６６に与える。
【００５３】
加算素子２６８は、各パワーアンプの出力を合成して、接続２６９上に合成信号を与える。接続２６９上の合成信号は、ＰＭ成分とＡＭ成分との両方を含み、携帯トランシーバ
１００のアンテナ（図示せず）に向けられる。
【００５４】
図５は、ソフトウェアによって規定される送信アーキテクチャ２００がＷＣＤＭＡ規格を用いて動作する場合に用いられる構成要素を示すブロック図である。ＷＣＤＭＡモードにおいて用いられる場合、ソフトウェアによって規定される送信アーキテクチャ２００のすべての構成要素が可能化される。接続２０３および２０５に加えて、分周器２０２の出力が接続２７１を介してＩＦ  ＶＧＡ２７２に向けられる。上述のように、接続２７１上の信号は接続２０３または２０５上の信号のいずれかと置き換えられてもよい。上述のように、ＩＦ  ＶＧＡ２７２は、接続２７６上の大きな振幅範囲を有する中間周波数非変調信号をバンドパスフィルタ２７７に与える。バンドパスフィルタ２７７は、所望の周波数帯域における信号を接続２７８上に通過させる。接続２７８は、バンドパスフィルタ２７７の出力を接続２８２および２８６からミクサ２８４および２８８にそれぞれ向ける。送信規定ソフトウェア３００は、同期発振器２１８が接続２２３に向けられ、同期発振器２５４の出力が接続２５９に向けられるように、スイッチ２２１および２５６を再位置決めする。接続２２３は、同期発振器２１８の出力をミクサ２８４に向ける一方、接続２５９は同期発振器２５４の出力をミクサ２８８に向ける。
【００５５】
ＧＳＭおよびＥＤＧＥ／ＴＤＭＡについて、同期発振器２５４および２１８の出力は送信周波数にある。しかしながら、ＷＣＤＭＡについては、送信周波数を得るためにはＦUHP／４の量だけ周波数を増大させるためにもう１回の混合を必要とする。ＷＣＤＭＡ送信周波数は、ＤＣＳ１８００／ＰＣＳ１９００よりも少し高いことに留意されたい。これは、図３、図４および図５において周波数図を用いて示される。しかしながら、このＷＣＤＭＡ周波数差だけがミクサ２８８および２８４を含める理由ではないことに留意されたい。ミクサ２８８および２８４は、接続２５９および２２３上の固定振幅信号とＩＦ  ＶＧＡ２７２によって与えられる可変振幅信号とを混合することにより、広範囲の振幅制御を提供する。「可変振幅」は、送信されるべき平均のパワーレベルを指す。ＩＦ  ＶＧＡ２７２の利得は、ＷＣＤＭＡモードで動作する場合、出力２６９で所望である出力パワーに従って設定される。
【００５６】
例示のために、パワーアンプの利得は約５０ｄＢだけばらついてもよく、これはＧＳＭおよびＥＤＧＥ／ＴＤＭＡシステムには十分であるが、ＷＣＤＭＡシステムは典型的には９０ｄＢの範囲を用いる。したがって、ＩＦ信号の振幅はＩＦ  ＶＧＡ２７２によって約４０ｄＢだけばらつきを与えられる。ＩＦ信号は次いでそれぞれミクサ２８４および２８８において同期発振器２１８および２５４の出力と混合され、その後パワーアンプ２２６および２６１にこれらの信号が供給される。
【００５７】
ミクサ２８４は、同期発振器２１８の低雑音ＲＦ出力を接続２８２上のバンドパスフィルタ２７７の出力と合成し、ミクサ２８８は同期発振器２５４の低雑音ＲＦ出力を接続２８６上のバンドパスフィルタ２７７の出力と合成する。
【００５８】
送信規定ソフトウェア３００はまた、ミクサ２８４の出力が接続２２４を介してパワーアンプ２２６に供給され、ミクサ２８８の出力が接続２５８を介してパワーアンプ２６１に供給されるように、スイッチ２８１および２７９を再び位置決めする。パワーアンプ２２６および２６１の動作は上述のとおりである。ミクサ２８４および２８８が適切に動作して低雑音出力をもたらすには、ミクサポートが適切に選択されねばならないことに留意されたい。各ミクサは「ＬＯ」入力ポートと「小信号」入力ポートとを有する。ミクサ２８８のＬＯポートは入力２５９であり、ミクサ２８４のＬＯポートは入力２２３である。ミクサ２８８の「小信号」ポートは入力２８６であり、ミクサ２８４の「小信号」ポートは入力２８２である。これは、ミクサにとってＬＯとして好適である比較的大きな一定の振幅の信号を同期発振器がもたらす一方、ＩＦ  ＶＧＡ２７２は、比例する態様でミクサ
出力振幅に影響を与えることが意図される可変振幅信号をもたらすからである。
【００５９】
送信規定ソフトウェア３００は、選択された送信規格に依存してＩおよびＱ信号成分をフォーマット化する。したがって、ＩおよびＱ成分は、選択された送信規格に依存して異なったフォーマットとなる。たとえば、ＩおよびＱ信号成分はＧＳＭ、ＥＤＧＥ／ＴＤＭＡおよびＷＣＤＭＡについて異なったフォーマットを有し、また定包絡線パワー出力または不定包絡線パワー出力がもたらされるかに依存して異なったフォーマットを有し得る。
【００６０】
ここで説明するように、ソフトウェアによって規定される送信アーキテクチャ２００は、既存のハードウェアを広範に再利用してさまざまなデジタルセルラーフォーマットをサポートする。ソフトウェアによって規定される送信アーキテクチャ２００は、単一のモジュール上の携帯トランシーバの送信部分の実現手段が、最小限の数の構成要素を用い、かつ最小限の量の基板空間を用いて、低コストで高性能を達成することを可能にする。図２から図５に示す総じて非線形である構成要素を用いてほぼ線形である出力信号を形成することは、ソフトウェアによって規定される送信アーキテクチャ２００が、ＷＣＤＭＡモードにおいて用いられる場合に既存の送信アーキテクチャと比較してパワー効率の顕著な向上を達成することを可能にする。重要なことに、ソフトウェアによって規定される送信アーキテクチャ２００は、多規格のマルチバンド動作をサポートするために外部の表面弾性波（ＳＡＷ）または他のフィルタを要求しない。ＷＣＤＭＡ規格を用いた動作については、ＩＦ  ＶＧＡ２７２が非変調搬送信号のみを増幅するので、ＩＦ  ＶＧＡ２７２に厳しい線形性要件を課すことなく広いダイナミックレンジが達成される。
【００６１】
図６は、図１の送信規定ソフトウェア３００の動作を示すフローチャート６００である。ブロック６０２において、携帯トランシーバ１００が初期化される。ブロック６０４において、送信規定ソフトウェア３００は、通信が発生するであろう通信規格を判断する。これは、たとえば、携帯トランシーバ１００が通信している基地局からの信号を受信し復号化することにより達成される。初期化シーケンスの間に、携帯トランシーバ１００は活性化して近くの基地局からの信号を待ち受ける（listen for）ことができる。基地局から受信された信号は、基地局が携帯トランシーバ１００と通信することを所望する通信規格を判断する情報を含み得る。
【００６２】
これに代えて、携帯トランシーバ１００のユーザが、携帯トランシーバ１００に関連する制御入力（たとえば、図１のキーボード１０６）での対話を介して通信規格を判断してもよい。
【００６３】
ブロック６０６において、送信規定ソフトウェア３００は、通信規格が定包絡線変調フォーマットを用いるか、または不定包絡線変調フォーマットを用いるかを判断する。定包絡線変調フォーマットが用いられていると判断された場合、ブロック６１２において、ＩおよびＱ信号が定包絡線変調フォーマットに対してフォーマット化される。不定包絡線変調フォーマットが用いられていると判断された場合、ブロック６１４において、ＩおよびＱ信号が不定包絡線変調フォーマットに対してフォーマット化される。
【００６４】
ブロック６１６において、送信規格が判断され、ＩおよびＱ信号が適切にフォーマット化された後で、送信規定ソフトウェア３００は、判断された送信規格に基づきソフトウェアによって規定される送信アーキテクチャ２００内の適切な構成要素を活性化する。たとえば、もし携帯トランシーバ１００がＧＳＭ規格を用いて通信すべきである場合、図３に示す構成要素が、ベースバンドサブシステム１１０から接続１３２を介してＲＦサブシステム１３０に送られた制御信号を用いて送信規定ソフトウェア３００によって活性化される。システムが実現される態様に依存して、制御信号１３２はＤＳＰ１２６において、ＡＳＩＣ１３５において、またはＦＰＧＡ１３３から発生し得る。
【００６５】
ブロック６１８において、送信規定ソフトウェア３００は適切に選択された構成要素を用いて送信を開始する。
【００６６】
この発明のさまざまな実施例が説明されてきたが、当業者には、この発明の範囲内にあるより多くの実施例および実現例が可能であることが明らかであろう。したがって、この発明は添付の特許請求の範囲およびそれらの等価物以外により限定されるものではない。
【図面の簡単な説明】
【００６７】
【図１】ソフトウェアによって規定される送信アーキテクチャを含む簡略化された携帯トランシーバを示すブロック図である。
【図２】図１のソフトウェアによって規定される送信アーキテクチャを示すブロック図である。
【図３】ソフトウェアによって規定される送信アーキテクチャがＧＳＭ規格を用いて動作する場合に用いられる構成要素を示すブロック図である。
【図４】ソフトウェアによって規定される送信アーキテクチャがＥＤＧＥ／ＴＤＭＡ規格を用いて動作する場合に用いられる構成要素を示すブロック図である。
【図５】ソフトウェアによって規定される送信アーキテクチャがＷＣＤＭＡ規格を用いて動作する場合に用いられる構成要素を示すブロック図である。
【図６】図１の送信規定ソフトウェアの動作を示すフローチャートである。
【図１】
0004554593.tif 000002
【図２】
0004554593.tif 000003
【図３】
0004554593.tif 000004
【図４】
0004554593.tif 000005
【図５】
0004554593.tif 000006
【図６】
0004554593.tif 000007